【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  ポリペプチド、Ｓ−ニトロシル化された多糖類またはペンダント状のＳ−ニトロシル基を有するポリマーではなく、以下の構造式：
【化１】
2002518473.tif 000001
【化２】
2002518473.tif 000002
（式中、各Ｒａは−Ｈまたはメチルであって、独立して選ばれる）
のうちの１で表される化合物のＳ−ニトロシル化された誘導体ではない化合物であって、少なくとも１個の安定化されたＳ−ニトロシル基、および少なくとも１個の遊離チオール基または遊離アルコール基を有し、Ｓ−ニトロシルが遊離アルコール基または遊離チオール基によって安定化されているＮＯ−放出性化合物。
【請求項２】  少なくとも１個の遊離アルコール基を有し、約２２５原子質量単位よりも大きい分子量を有する請求項１記載の化合物。
【請求項３】  少なくとも１個の遊離チオール基を有し、約３７５原子質量単位よりも大きい分子量を有する請求項１記載の化合物。
【請求項４】  約１０００原子質量単位よりも小さい分子量を有する請求項２または３記載の化合物。
【請求項５】  少なくとも１個の遊離チオール基、約２２５原子質量単位よりも大きい分子量および約２００時間よりも長いＮＯ放出の半減期を有する請求項１記載の化合物。
【請求項６】  遊離アルコール基およびＳ−ニトロシル基が、または遊離チオール基およびＳ−ニトロシル基が、それぞれメチレン基に結合している請求項４記載の化合物。
【請求項７】  以下の構造式：
【化３】
2002518473.tif 000003
（式中、
Ｒは、有機基であり、
各Ｘ’は独立して置換または非置換の脂肪族基であり、
ｐおよびｍは、それぞれｐ＋ｍが２よりも大きくなるような正の整数である）
で表される請求項１記載の化合物。
【請求項８】  各Ｘ’が同一である請求項７記載の化合物。
【請求項９】  ｐ＋ｍが約１０未満であるかまたはそれと等しい請求項８記載の化合物。
【請求項１０】  各Ｘ’が−ＣＨ2 −、−ＣＨ2 ＣＨ2 −、−ＣＨ2 ＣＨ2 ＣＨ2 −または−ＣＨ2 ＣＨ2 ＣＨ2 ＣＨ2 −である請求項９記載の化合物。
【請求項１１】  ポリチオールまたはチオアルコールが、ポリペプチド、ポリチオール化アルコールまたはペンダント状のチオール基を有するポリマーではなく、また以下の構造式：
【化４】
2002518473.tif 000004
【化５】
2002518473.tif 000005
（式中、各Ｒａは−Ｈまたはメチルであって、独立して選ばれる）
のうちの１で表されない化合物であって、ポリチオールまたはチオアルコールをニトロシル化剤と反応させることによって製造された化合物。
【請求項１２】  ポリチオールをニトロシル化剤と反応させることにより製造される化合物であって、ポリチオールが以下の構造式：
【化６】
2002518473.tif 000006
（式中、
Ｒは有機基であり、
ｎは２よりも大きい正の整数であり、
各Ｘは独立して置換または非置換のチオール含有脂肪族基である）
で表されるエステル化されたポリオールである請求項１１記載の化合物。
【請求項１３】  各Ｘが同一であり、ｎが約１０よりも小さい請求項１２記載の化合物。
【請求項１４】  各Ｘが−ＣＨ2 ＳＨ、−ＣＨ2 ＣＨ2 ＳＨ、−ＣＨ2 ＣＨ2 ＣＨ2 ＳＨまたは−ＣＨ2 ＣＨ2 ＣＨ2 ＣＨ2 ＳＨである請求項１３記載の化合物。
【請求項１５】  ニトロシル化剤をチオアルコールと反応させてなり、少なくとも約２２５原子質量単位の分子量を有する請求項１１記載の化合物。
【請求項１６】  約１０００原子質量単位よりも小さい分子量を有する請求項１５記載の化合物。
【請求項１７】  アルコールおよびチオールがいずれも第一級である請求項１６記載の化合物。
【請求項１８】  ニトロシル化剤をポリチオールと反応させてなり、約３７５原子質量単位よりも大きい分子量を有する請求項１１記載の化合物。
【請求項１９】  約１０００原子質量単位よりも小さい分子量を有する請求項１８記載の化合物。
【請求項２０】  双方のチオールが第一級である請求項１９記載の化合物。
【請求項２１】  ニトロシル化剤がＳ−ニトロソ−Ｎ−アセチル−Ｄ，Ｌ−ペニシラミンである請求項１１記載の化合物。
【請求項２２】  ポリチオールまたはチオアルコールがポリペプチド、ポリチオール化されたアルコールまたはペンダント状のチオール基を有するポリマーではなく、また以下の構造式：
【化７】
2002518473.tif 000007
【化８】
2002518473.tif 000008
（式中、各Ｒａは−Ｈまたはメチルであって、独立して選ばれる）
のうちの１で表されない化合物であって、ポリチオールまたはチオアルコールをニトロシル化剤と反応させる工程を含む、安定化されたＳ−ニトロシル基を有するＮＯ−放出性化合物の製造方法。
【請求項２３】  ポリチオールまたはチオアルコール中の遊離チオールあたりおよび遊離アルコールあたり、約０．５〜約０．７当量のニトロシル化剤を使用する請求項２２記載の方法。
【請求項２４】  前記化合物がポリチオールをニトロシル化剤と反応させることによって製造され、ポリチオールが以下の構造式：
【化９】
2002518473.tif 000009
（式中、
Ｒは有機基であり、
ｎは２よりも大きい正の整数であり、
各Ｘは独立して置換または非置換のチオール含有脂肪族基である）
で表されるエステル化されたポリオールである請求項２３記載の方法。
【請求項２５】  各Ｘが同一であり、ｎが約１０よりも小さい請求項２４記載の方法。
【請求項２６】  各Ｘが−ＣＨ2 ＳＨ、−ＣＨ2 ＣＨ2 ＳＨ、−ＣＨ2 ＣＨ2 ＣＨ2 ＳＨまたは−ＣＨ2 ＣＨ2 ＣＨ2 ＣＨ2 ＳＨである請求項２５記載の方法。
【請求項２７】  ニトロシル化剤をチオアルコールと反応させ、前記化合物が少なくとも約２２５原子質量単位の分子量を有する請求項２３記載の方法。
【請求項２８】  前記化合物が約１０００原子質量単位よりも小さい分子量を有する請求項２７記載の方法。
【請求項２９】  アルコールおよびチオールがいずれも第一級である請求項２８記載の方法。
【請求項３０】  ニトロシル化剤をポリチオールと反応させ、前記化合物が約３７５原子質量単位よりも大きい分子量を有する請求項２３記載の方法。
【請求項３１】  前記化合物が約１０００原子質量単位よりも小さい分子量を有する請求項３０記載の方法。
【請求項３２】  双方のチオールが第一級である請求項３１記載の方法。
【請求項３３】  ニトロシル化剤がＳ−ニトロソ−Ｎ−アセチル−Ｄ，Ｌ−ペニシラミンである請求項２２記載の方法。
【請求項３４】  請求項２２〜３３いずれか記載の方法で製造される化合物。
【請求項３５】  請求項１〜２１いずれか記載のＮＯ−放出性化合物を含む、ＮＯを放出しうる物品。
【請求項３６】  被験体の治療部位での埋込みに適する医療器具である請求項３５記載の物品。
【請求項３７】  被験体から一時的に体液を取り除くために使用される医療器具である請求項３５記載の物品。
【請求項３８】  医療器具がチューブまたはカテーテルである請求項３７記載の物品。
【請求項３９】  ＮＯ−放出性化合物で表面が被覆されている請求項３５記載の物品。
【請求項４０】   請求項１〜２１いずれか記載のＮＯ放出性化合物を含む医療器具であって、被験体の治療部位での埋込みに適しており、かつ
医療器具を治療部位に埋込む工程を含む、被験体の治療部位に酸化窒素を送達する方法に使用される医療器具。
【請求項４１】  請求項１〜２１いずれか記載のＮＯ−放出性化合物を含む医療器具であって、体液と接触させる工程を含む、被験体の体液に酸化窒素を送達する方法に使用される医療器具。
【請求項４２】  請求項１〜２１いずれか記載のＮＯ−放出性化合物の有効量と表面を接触させる工程を含む表面の殺菌方法。